(57)【要約】  【課題】利用者がやぐらに対して平易に照明等の追加作業を行えるようにしたやぐら付什器を提供する。  【解決手段】什器にポストを立設して梁６を連結することによりやぐらＢを構成し、ポスト５の下端部側に配線ダクト空間Ｔを配置して、この配線ダクト空間Ｔにテーブルタップ９を配置し、このテーブルタップを構成するタップ本体９１とコンセント差込用プラグ９２の間のケーブル９３をポスト５内に設けて１次配線空間Ｐ１に引き込んでスイッチ７の端子部７１に、操作部７２によってテーブルタップ９１への給電ＯＮ／ＯＦＦ切り替え可能に接続して、ポスト内の２次配線空間Ｐ２はカバー５３によって着脱されるようにし、この２次配線空間Ｐ２を通じて梁６に支持部を介して支持させた給電対象物に給電を行い得るようにした。【選択図】図１１
2017099736.tif 000002
【特許請求の範囲】
【請求項１】
複数のポストを立設し、当該ポスト間を梁により連結して、これらポストおよび梁によりやぐらを構築するとともに、前記ポストの下端部を支持構造体内に収容して支持させ、当該支持構造体内に配線ダクト空間を形成したやぐら付什器において、
前記ポストは、ポスト本体とカバーを備え、ポスト本体は長手方向に沿って延び周囲が閉止された１次配線空間と、端子部をこの１次配線空間に臨ませ操作部をポストの外部に表出させたスイッチと、長手方向に沿って延び前記カバーの着脱によって開閉可能とされた２次配線空間とを有するとともに、
前記梁は、給電対象物を支持する支持部を有しており、
この支持部と前記２次配線空間との間が前記ポストの上端部側に設けた第１開口を通じて配線引き回し可能とされるとともに、前記１次配線空間および前記２次配線空間と前記支持構造体内の配線ダクト空間との間が前記ポストの下端部側に設けた第２開口を通じて配線引き回し可能とされ、
前記配線ダクト空間にテーブルタップを配し、当該テーブルタップのタップ本体とコンセント差込用プラグの間のケーブルを前記１次配線空間に引き込んで前記スイッチの端子部に、当該スイッチの操作部によってテーブルタップへの給電ＯＮ／ＯＦＦ切り替えが可能な状態で接続した配線構造を有することを特徴とするやぐら付什器。
【請求項２】
１次配線空間に引き込まれたケーブル内を通る２本の導線は分離され、うち１本はその位置で分断されて、各々スイッチの対をなす端子部に接続された配線構造を有する請求項１に記載のやぐら付什器。
【請求項３】
やぐらが、支持構造体に天板を支持させ、この天板上にポストを立設したものであり、ポスト本体を天板を貫通して支持構造体内に収容して連結し、カバーはポスト本体に対し短寸にして梁と天板の間で着脱可能とすることにより天板上で２次配線空間の開閉が行える配線構造を有する請求項１又は２に記載のやぐら付什器。
【請求項４】
ポスト本体の下端部は支持構造体に設けた有底のポスト受け部に第２開口を塞がない状態で嵌合され、配線ダクト空間は複数のポストの１次配線空間および２次配線空間のほぼ真下に共通して延在し、この配線ダクト空間が化粧パネルによって着脱可能に隠蔽された配線構造を有する請求項１〜３の何れかに記載のやぐら付什器。
【請求項５】
２本の端部ポストおよび１本以上の中間ポストを含む複数のポストが立設されて、ポストの間が梁によって接続され、少なくとも中間ポストの２次配線空間は１次配線空間に対して梁が延びる方向に２以上設けられ、各々がカバーによって開閉可能とされるとともに、各々のカバーの隣接位置に共通のスイッチを位置づけた配線構造を有する請求項１〜４の何れかに記載のやぐら付什器。
【請求項６】
やぐらが、支持構造体に立位姿勢で利用可能なカウンター天板を支持させ、このカウンター天板上にポストを立設して、ポストの上端部間を頭上高さで天梁により連結したものであり、ポストの上端部における側面に２次配線空間の第１開口を設けるとともに、ポストと天梁の突合わせ位置を避けた天梁の一部に、２次配線を天梁の上面に導くための天梁開口を設けた配線構造を有する請求項５に記載のやぐら付什器。
【請求項７】
梁が、ポストの上端部に接続される端部梁と、左右の端部梁の間を接続する梁本体とからなり、梁本体に給電対象物の支持部として下向き配線ダクトおよび上向き配線ダクトを設け、端部梁には天梁開口を設けて、下向き配線ダクトにライティングレールを取り付けて配線を２次配線空間に引き込み、上向き配線ダクトにライン照明を配して配線を天梁開口および第１開口を通じて２次配線空間に引き込んで、ポストに設けた共通のスイッチの操作により給電ＯＮ／ＯＦＦ切り替えが可能とされた配線構造を有する請求項６に記載のやぐら付什器。
【発明の詳細な説明】
【技術分野】
【０００１】
本発明は、利用者がやぐらに対して平易に照明等の追加作業を行えるようにしたやぐら付什器に関するものである。
【背景技術】
【０００２】
従来より、複数のポストを立設し、当該ポスト間を梁により連結して、これらポストおよび梁によりやぐらを構築したやぐら付什器が知られている。
【０００３】
例えば、特許文献１に示すものは、ポストの下端部を支持構造体であるデスク内に収容して支持させ、給電対象物である直接照明用のＬＥＤアレーや間接照明用のＬＥＤアレーを取り付けたビームを梁に支持させ、この梁にポストを介して配線を導くように構成されており、それらのスイッチはＬＥＤアレー自体に、或いはポストに付帯する位置に個別に設けられている。
【０００４】
一方、特許文献２に示すものは、やぐらのポストに複数のコンセントとスイッチを集合させて設け、コンセントの一つは電源ケーブル接続用とされ、他のコンセントはそれぞれ対応するスイッチに接続されていて、やぐらに付帯するテレビや照明等の給電対象物をコンセントに適宜差し込んで使用するように構成されている。
【先行技術文献】
【特許文献】
【０００５】
【特許文献１】特開２０１０−０１７４８８号公報
【特許文献２】特開平１０−１１３２３３号公報
【発明の概要】
【発明が解決しようとする課題】
【０００６】
しかしながら、特許文献１のものは、スイッチを個別にＯＮ／ＯＦＦする必要があるため、例えばＬＥＤアレーが頭上高さに位置するような大掛かりなやぐらを構成する場合には、個別スイッチ操作だけでも使い勝手が悪いものになり、スイッチを操作し易い位置に設置しようとすれば別途にスイッチの設置、配線作業が必要となる。しかも、照明器具を追加するためには都度、新たに器具やスイッチの取り付け作業、配線の引き回し作業を行わなければならないという不便さがある。
【０００７】
一方、特許文献２のものは、ポストの１箇所に予めコンセントやスイッチを集めておく点で、機器の追加にも対応し易いが、目的・用途によっては利用されない場合があり、また、コンセントとスイッチの対応関係やスイッチと給電対象物の対応関係もわかりにくいために個別ＯＮ／ＯＦＦ操作を間違え易いうえに、特にやぐらが大型であって一斉に照明等のＯＮ／ＯＦＦ操作を行いたい場合に不便である。
【０００８】
本発明は、これらの課題を解決し、利用者がやぐらに対して平易に照明等の電気機器の追加作業を行えるようにしたやぐら付什器を提供することを目的としている。
【課題を解決するための手段】
【０００９】
本発明は、かかる目的を達成するために、次のような手段を講じたものである。
【００１０】
すなわち、本発明のやぐら付什器は、複数のポストを立設し、当該ポスト間を梁により連結して、これらポストおよび梁によりやぐらを構築するとともに、前記ポストの下端部を支持構造体内に収容して支持させ、当該支持構造体内に配線ダクト空間を形成したやぐら付什器において、前記ポストは、ポスト本体とカバーを備え、ポスト本体は長手方向に沿って延び周囲が閉止された１次配線空間と、端子部をこの１次配線空間に臨ませ操作部をポストの外部に表出させたスイッチと、長手方向に沿って延び前記カバーの着脱によって開閉可能とされた２次配線空間とを有するとともに、前記梁は、給電対象物を支持する支持部を有しており、この支持部と前記２次配線空間との間が前記ポストの上端部側に設けた第１開口を通じて配線引き回し可能とされるとともに、前記１次配線空間および前記２次配線空間と前記支持構造体内の配線ダクト空間との間が前記ポストの下端部側に設けた第２開口を通じて配線引き回し可能とされ、前記配線ダクト空間にテーブルタップを配し、当該テーブルタップのタップ本体とコンセント差込用プラグの間のケーブルを前記１次配線空間に引き込んで前記スイッチの端子部に、当該スイッチの操作部によってテーブルタップへの給電ＯＮ／ＯＦＦ切り替えが可能な状態で接続した配線構造を有することを特徴とする。
【００１１】
このようにすると、梁の支持部に給電対象物を支持させるにあたり、この給電対象物の配線を第１開口より引き込んで２次配線空間とカバーの間に閉じ込め、第２開口から配線ダクト空間内に導いてテーブルタップに差し込むだけで取り付けを完了することができる。このように、スイッチの端子部への配線接続作業が不要であるため、ユーザーサイド（エンドユーザのみならず電気工事の資格を有さない配送業者、施工業者等も含まれる）で簡単にオプションの取り付けを完了することができる。そして、スイッチ１つでコンセントに接続された給電対象物の一斉ＯＮ／ＯＦＦが可能となるため、各々の給電対象物に付帯するスイッチを個々に操作する煩わしさ、あるいは給電対象物ごとに配線ダクト空間にアクセスしてテーブルタップのＯＮ／ＯＦＦ操作を行う煩わしさ等が解消され、ＯＮ／ＯＦＦ操作を間違えるといった不具合も解消されるうえ、スイッチはポストに設けてあるため、大掛かりなやぐらであっても利用者が目にし易く且つ操作位置も適切となる。さらに、１次配線空間は閉止されて利用者がアクセスできないため、２次配線を共通のポスト内に導入しても不都合が生じることはない。
【００１２】
既存のテーブルタップを使って簡単に１次配線処理を可能とするためには、１次配線空間に引き込まれたケーブル内を通る２本の導線は分離され、うち１本はその位置で分断されて、各々スイッチの対をなす端子部に接続された配線構造にすることが望ましい。
【００１３】
天板上で２次配線空間への配線の閉じ込めを可能にするためには、やぐらが、支持構造体に天板を支持させ、この天板上にポストを立設したものであり、ポスト本体を天板を貫通して支持構造体内に収容して連結し、カバーはポスト本体に対し短寸にして梁と天板の間で着脱可能とすることにより天板上で２次配線空間の開閉が行える配線構造を有することが好ましい。
【００１４】
テーブルタップの使い勝手を良好とするためには、ポスト本体の下端部は支持構造体に設けた有底のポスト受け部に第２開口を塞がない状態で嵌合され、配線ダクト空間は複数のポストの１次配線空間および２次配線空間のほぼ真下に共通して延在し、この配線ダクト空間が化粧パネルによって着脱可能に隠蔽された配線構造としておくことが好適である。
【００１５】
２本の端部ポストおよび１本以上の中間ポストを含む複数のポストが立設されて、ポストの間が梁によって接続されている場合の好適な構造としては、少なくとも中間ポストの２次配線空間は１次配線空間に対して梁が延びる方向に２以上設けられ、各々がカバーによって開閉可能とされるとともに、各々のカバーの隣接位置に共通のスイッチを位置づけた配線構造とすることが挙げられる。
【００１６】
やぐらが、支持構造体に立位姿勢で利用可能なカウンター天板を支持させ、このカウンター天板上にポストを立設して、ポストの上端部間を頭上高さで天梁により連結したものである場合には、ポストの上端部における側面に２次配線空間の第１開口を設けるとともに、ポストと天梁の突合わせ位置を避けた天梁の一部に、２次配線を天梁の上面に導くための天梁開口を設けた配線構造としておくことが好ましい。
【００１７】
この場合の具体的な実施の態様としては、梁がポストの上端部に接続される端部梁と、左右の端部梁の間を接続する梁本体とからなり、梁本体に給電対象物の支持部として下向き配線ダクトおよび上向き配線ダクトを設け、端部梁には天梁開口を設けて、下向き配線ダクトにライティングレールを取り付けて配線を２次配線空間に引き込み、上向き配線ダクトにライン照明を配して配線を天梁開口および第１開口を通じて２次配線空間に引き込んで、ポストに設けた共通のスイッチの操作により給電ＯＮ／ＯＦＦ切り替えが可能とされた配線構造が挙げられる。
【発明の効果】
【００１８】
本発明は、以上説明した構成を通じて、利用者がやぐらに対して平易に照明等の電気機器の追加作業を行うことができ、スイッチ操作もシンプルに行えるため、特に共用スペースに配置して使用する際の使い勝手が極めて良好となるやぐら付什器を提供することができる。
【図面の簡単な説明】
【００１９】
【図１】本発明の一実施形態に係るやぐら付カウンターを示す斜視図。
【図２】同平面図。
【図３】図１と異なるレイアウトのやぐら付カウンターを示す斜視図。
【図４】図２に対応した平面の透視図。
【図５】図４における矢視Ｘ方向の透視図。
【図６】図１の一部分解斜視図。
【図７】図４におけるＡ−Ａ線に沿って一部省略して示す断面図。
【図８】図４におけるＢ−Ｂ線に沿って一部省略して示す断面図。
【図９】同実施形態を構成するポストの平面図。
【図１０】同実施形態の２次配線空間への配線処理に関する説明図。
【図１１】同実施形態における１次配線空間および２次配線空間の通線構造を示す図。
【図１２】同実施形態における天梁の構成説明図。
【図１３】同実施形態を構成する天梁の正面図。
【図１４】同実施形態の天梁の使用例を示す図。
【図１５】同天梁の他の使用例を示す図。
【図１６】同天梁の他の使用例を示す図。
【図１７】同天梁のさらに他の使用例を示す図。
【図１８】同天梁のさらに他の使用例を示す図。
【発明を実施するための形態】
【００２０】
以下、本発明の一実施形態を、図面を参照して説明する。
【００２１】
図１は、本発明の一実施形態に係るやぐら付什器たるやぐら付カウンターＡを示す一部破砕した斜視図、図２は同平面図、図３はレイアウトを異ならせた図１に対応する斜視図である。このやぐら付カウンターＡは、カウンター本体ａと、このカウンター本体ａの上に構築されたやぐらＢとを具備している。以下、主として図１および図２のレイアウトに基づいて構成を説明し、必要に応じて図３のレイアウトに言及する。
【００２２】
カウンター本体ａは、カウンター天板１を支持構造体２、３（図４及び図３参照）によって支持したもので、カウンター天板１は、立位姿勢で利用可能な高さ（例えば１０００ｍｍ）に配され、直線部１ａの途中２箇所に屈曲したコーナー部１ｂを有し、平面視においてコ字状をなす形態に設けられて、外側の縁辺１ｃが主たる使用縁、前縁とされている。やぐら付カウンターＡを透視した平面図である図４、図４のＸ矢視図である図５に示されるように、カウンター天板１の内側の縁辺１ｄに沿って主支持構造体２およびコーナー支持構造体３が配され、外側の縁辺１ｃに沿ってカウンター天板１の下に連続した蹴り込み空間Ｓがカウンター天板１と支持構造体２（３）とによって部分的に囲まれて形成されている。
【００２３】
主支持構造体２は、図４〜図６に示されるように、カウンター天板１の直線部分１ａの一部を支持する中間支持構造部２１と、端部付近を支持する端部支持構造部２２とを有している。中間支持構造部２１は、天板奥行き方向に対向する角柱状の前枠部２１ａおよび後枠部２１ｂと、これら前枠部２１ａ及び後枠部２１ｂの上端部間を連結する一対の板状をなす上枠部２１ｃと、前記前枠部２１ａ及び後枠部２１ｂの下端部間を連結する下枠部２１ｄとを連結した金属製の井桁構造部２１ｘを有する。端部支持構造部２２は、中間支持構造部２１を半割りにした構造に相当するもので、天板奥行き方向に対向するチャネル状の前枠部２２ａおよび後枠部２２ｂと、これら前枠部２２ａ及び後枠部２２ｂの上端部間を連結する一枚の板状をなす上枠部２２ｃと、前記前枠部２２ａ及び後枠部２２ｂの下端部間を連結する下枠部２２ｄとを連結した金属製の井桁構造部２２ｘを有する。
【００２４】
これら中間支持構造部２１および端部支持構造部２２の井桁構造部２１ｘ、２２ｘはカウンター天板１の連続する方向に隣接しており、これら井桁構造部２１ｘ、２２ｘは、図４におけるＡ−Ａ線またはＢ−Ｂ線に沿ってそれぞれ一部省略した断面図として示す図７及び図８に示すように、上端部分同士を木製板状の上連結部材２３で連結するとともに、下端部分同士を金属製の下連結部材２４で連結し、さらに後端部同士を背板２５で連結している。下連結部材２４と前記各井桁構造部２１ｘ、２２ｘの下枠部２１ｄ、２２ｄとは、図６に示すように１つのチャネル状もしくは扁平箱状をなす連結材ｃがそれらの役割を兼ねている。
【００２５】
図４に示すように、２方向に沿って延びる主支持構造体２、２の端部間はコーナー部１ｂにおいて不連続であり、そのコーナー部１ｂにコーナー支持構造体３が配されている。コーナー支持構造体３は、主支持構造体２とは別置されたもので、図６に示すように４枚の金属製の板材３１を箱体状に連結した構成からなり、各板材３１の上端部側および下端部側にそれぞれ抜き孔３１ａ、３１ｂを形成して、抜き孔３１ａ、３１ｂの周囲が井桁構造をなしている。
【００２６】
中間支持構造部２１を構成する前枠部２１ａおよび後枠部２１ｂの上端には天板奥行き方向に延びる一対のステー２１ｆが剛接してあり、端部支持構造部２２を構成する前枠部２２ａおよび後枠部２２ｂの上端には天板奥行き方向に延びる１つのステー２２ｆが剛接してあり、これらのステー２１ｆ、２２ｆの上面が天板受け面に設定されている。コーナー支持構造体３１は４枚の板材３１の上端面３１ｆが天板受け面に設定されている。これらの天板受け面２１ｆ、２２ｆ、３１ｆは床から同一高さにある。
【００２７】
このようにして、天板支持構造は主天板支持構造体２及びコーナー支持構造体３が天板形状に対応してコ字型に配されたものとなっている。そして、隣接する井桁構造部２１ｘ、２２ｘに亘って図７に示すように上連結部材２１ａ（２２ａ）の下方を閉止する位置に前化粧パネル２６を配置して主支持構造体２を中空構造にし、内部に井桁構造部２１ｘ、２２ｘの内周を含んで梁６に沿って延びる配線ダクト空間Ｔを形成している。前化粧パネル２６を配置するにあたり、図６及び図７に示すように前枠部２１ａ、２２ａにスリット２１ａ１、２２ａ１を設け、前化粧パネル２６の内面から突出した下向き爪２６ａを所謂けんどん方式でスリット２１ａ１、２２ａ１に係合させるようにしている。これら前化粧パネル２６及び背板２５は図４に示すように主支持構造体２とコーナー支持構造体３の間にも亘っており、コーナー支持構造体３の内部にも配線ダクト空間Ｔが形成されている。コーナー支持構造体３の少なくとも貫孔３１ｂと中間支持構造体２の井桁構造部２１ｘの内周との間でも通線は可能とされている。
【００２８】
そして、これらの支持構造体２、３をカウンター天板１に対応してコ字型に配置し、その天板受け面にカウンター天板１を配置している。カウンター天板１は、図１に示すように複数枚を突き合わせて連続させたもので、直線部１ａは一対のステー２１ｆ、２１ｆの中央に突き合わせ面が位置し、コーナー部１ｂは後述する中間ポスト５ａの位置に突き合わせ面が位置している。隣接するカウンター天板１、１同士は下面において適宜の構造により連結されている。
【００２９】
なお、端部支持構造部２２には図１に示すエンド脚４が添設させて取り付けてある。エンド脚４は上面４ｚがカウンター天板１の上面１ｚと面一となる高さに配され、ともに連続するカウンター天板１の天板面を構成している。
【００３０】
そして、カウンター天板１の所要箇所に矩形状の貫通孔１１を設け、各々の貫通孔１１より四角柱状の中間ポスト５（５ａ）および端部ポスト５（５ｂ）を立設して、ポスト５ａ、５ｂの上端部間を頭上高さ（例えば２１００ｍｍ）で天梁６により連結して、カウンター本体ａにフレーム構造のやぐらＢを構築している。
【００３１】
ポスト５が図３に示す天板突き合わせ位置すなわち図６に示す中間支持構造部２１の位置に取り付けられる場合に対応して、中間支持構造部２１には図６に示すように一対の上枠部２１ｃ、２１ｃにそれぞれコ字型をなす板金５１を対向させて配置し、その内面にポスト５の外面を緊密に嵌合させるポスト受け具２１ｔを構成している。ポスト５が図１及び図３に示す天板端部すなわち図６に示す端部支持構造部２２の位置に取り付けられる場合に対応して、端部支持構造部２２にはコ字型をなす１つの板金５１と、エンド脚４の上端部に内面および上方に開口させて設けたポスト受け孔４１とを突き合わせた位置における内面にポスト５の外面を緊密に嵌合させるポスト受け部２２ｔを構成している。一方、ポスト５が天板コーナー部ｂすなわち図６に示すコーナー支持構造体３の位置に取り付けられる場合に対応して、コーナー支持構造体３には内部に中間壁３２を接合してその上にコ字型をなす板金３３を突き合わせて立設し、その内面にポスト５の外面を緊密に嵌合させるポスト受け部３ｔを構成している。
【００３２】
各ポスト受け部２１ｔ、２２ｔ、３ｔは、ポスト５の下端を支持する受け面を有する有底のものとされており、この受け面はポスト５の下端部を完全には塞がずポストの中空部を下方に開放する構造とされている。そして、これらのポスト受け部２１ｔ、２２ｔ、３ｔの板金にポスト５の下端部をねじにより緊締させ得るようにしている。
【００３３】
一方、ポスト５は、図９に示すようにアルミ押し出し材からなるポスト本体５２と樹脂製のカバー５３とを着脱可能とした構造をなす。
【００３４】
ポスト本体５２は、前壁５２ａ、後壁５２ｂおよびこれら前壁５２ａおよび後壁５２ｂの端部よりも内側の内面間を連結する位置に配置された左右の内壁５２ｃとを有する等断面形状のもので、前壁５２ａと内壁５２ｃとの出隅部、および後壁５２ｂと内壁５２ｃとの出隅部に外向きＣ字状の溝５２ｄが形成されるとともに、前壁５２ａと後壁５２ｂの端部にそれぞれ相寄る方向に延びる当たり片５２ｅが、またＣ字状の溝５２ｄの先端に互いに相寄る方向に延びる爪部５２ｆが形成されており、内側に周囲が閉止された１次配線空間Ｐ１を形成している。溝５２ｄは梁６の取付孔として利用される。
【００３５】
他方、カバー５３は、板状のカバー本体５３ａの内面に、前記爪部５２ｆに係合する位置に爪状の被係合５３ｆ部と、この被係合部５３ｆが爪部５２ｆに係合した位置で前記当たり片５２ｅに突き当たる被当接部５３ｅとを突設したもので、係合位置でカバー本体５３ａとポスト本体５２の内壁５２ｃとの間にそれぞれ２次配線空間Ｐ２を閉止可能とされている。カバー５３はポスト本体５２に対し短寸に構成されており、図１０に示すように梁６とカウンター天板１の間で着脱して当該カウンター天板１上で２次配線空間Ｐ２の開閉が行えるようにしてある。特に同図に示す中間ポスト５ａでは２次配線空間Ｐ２は１次配線空間Ｐ１に対して梁６が延びる方向に２つ設けられ、各々がカバー５３によって開閉可能とされている。この図１０は図３のレイアウトに対応した図であるが、図１のレイアウトにおいてコーナーに配置される中間ポスト５ａもこれに準じて直交２面にカバー５３が設けられる。
【００３６】
ポスト５の上端部は、図１１に示すように一部を切り欠いて２次配線空間Ｐ２を側方に開放する第１開口５４が設けられ、ポスト５の下端部は前述したように中空部が下方に解放された第２開口５５とされていて、１次配線空間Ｐ１および２次配線空間Ｐ２が下方の配線ダクト空間Ｔに臨む構造とされている。
【００３７】
一方の天梁６は、図１１及び図１２に示すように、アルミ成型体により構成されてポスト５の上端部に接続される端部梁６１と、アルミ押し出し材よりなり左右の端部梁６１、６１の間を接続する梁本体６２とからなる。梁本体６２は図１３に示すように、前後壁６２ａ、６２ｂの上半部の領域を上壁６２ｃ及び下壁６２ｄで連結した構造の等断面を有し、下壁６２ｄと前後壁６２ａ、６２ｂとで下向きコ字状で囲まれる部位（更に言えば、下壁６２ｄに垂設した前後の突条６２ｄ１、６２ｄ２の間）に給電対象物の支持部としての下向き配線ダクト６Ａを形成するとともに、上壁６２ｃと前後壁６２ａ、６２ｂとで上向きコ字状に囲まれる部位（更に言えば、上壁６２ｃに突設した前後の突条６２ｃ１、６２ｃ２の間）に給電対象物の支持部として上向き配線ダクト６Ｂとを設けている。これらの配線ダクト６Ａ、６Ｂはポスト５と略同幅をなしている。さらに、この天梁６はポスト５よりも幅広に設けられて、幅広部分の下面にポスト５の傍らを通過して延びる側部レール６ｃを形成している
【００３８】
端部梁６１は梁本体６２と略同様の断面形状であることに加えて、図１２に示すようにポスト５と天梁６の突合わせ位置を避けた位置に、２次配線を天梁６の上面に導くための天梁開口６３が設けられている。
【００３９】
以上によりこのやぐらＢは、図１１〜図１３に示すように、給電対象物の支持部である下向き配線ダクト６Ａや上向き配線ダクト６Ｂと２次配線空間Ｐ２との間がポスト５の上端部側に設けた第１開口５４、さらには天梁開口６３を通じて配線引き回し可能とされるとともに、１次配線空間Ｐ１および前記２次配線空間Ｐ２と支持構造体２、３内の配線ダクト空間Ｔとの間がポスト５の下端部側に存する第２開口５５を通じて配線引き回し可能とされている。
【００４０】
そして、ポスト５に給電ＯＮ／ＯＦＦ用のスイッチ７を設けるとともに、下向き配線ダクト６Ａにライティングレール８１を取り付けて配線を２次配線空間Ｐ２に引き込み、上向き配線ダクト６ＢにＬＥＤ方式のライン照明８２を配して配線を天梁開口６３及び第１開口５４を通じて２次配線空間Ｐ２に引き込んで配線ダクト空間Ｔのコンセント９に接続するだけで、ポスト５に設けた共通のスイッチ７により給電ＯＮ／ＯＦＦ切り替え可能としている。
【００４１】
スイッチ７は、図９及び図１１に示すように、端子部７１を１次配線空間Ｐ１に臨ませ操作部７２をポスト５の外部に表出させてポスト本体５２の正面側に取り付けたもので、配線ダクト空間Ｔにテーブルタップ９を配し、テーブルタップ９のタップ本体９１とコンセント差込用プラグ９２の間のケーブル９３を１次配線空間Ｐ１に引き込んでケーブル９３内を通る２本の導線を分離し、うち１本を分断して各々スイッチ７の対をなす端子部７１に接続しており、スイッチ７の操作部７２によってテーブルタップ本体９１への給電ＯＮ／ＯＦＦ切り替えを可能としている。
【００４２】
ライティングレール８１自体は一般に知られたものであるため詳細は省略するが、図１４に模式的に示すように、略チャネル状のレール本体８１ａの下向き開口８１ｂの内側に幅広な係合溝８１ｃを備えるとともに、更にその上に設けた対向溝８１ｄ内に一対の電極８１ｅ、８１ｆを埋設して構成されるもので、係合溝８１ｃにペンダント照明８３の取付部８３ａを係合させ、一対の端子８３ｂ、８３ｃを対応する電極８１ｅ、８１ｆに沿って摺動可能としたものである。このレール８１ａの係合溝８１ｃには図１４（ｂ）に示すようなオプションの吊下具８４も係合可能とされ、図１４（ｃ）に示すように天梁６に植栽Ｃ等を吊下げることも可能とされている。
【００４３】
図１５及び図１６は、天梁６の支持部として天梁６全体を利用した例を示しており、半割構造をなす取付具８４ａをねじ８４ｂを用いて天梁６を抱くように取り付け、この取付具８４ａにプロジェクタ８４を吊り下げたものであり、ライティングレール８１から給電可能とされたものである。
【００４４】
また、図１７及び図１８は、天梁６の側部レール６ｃにボード８５の上端部８５ａを係合させ、当該ボード８５の下端部８５ｂをアジャスタ８５ｃを介してカウンター天板１上に接地させる使用例を示している。
【００４５】
なお、図７及び図８等に示されるように、天板１の外側の縁辺１ｃの下方には補助配線ダクト１ｅを介してコンセントｃ１が取り付けてあり、内側の縁辺１ｄの下方には背板２５を介してコンセントｃ２が取り付けてある。
【００４６】
また、図１、図３等に示されるように、カウンター天板１によって囲繞される内側空間には、カウンター天板１の内側の縁辺１ｄに沿って天板ｆ１や脚ｆ２等を備えた補助家具Ｆが設置されている。図示例の補助家具Ｆは特にカウンター本体ａとは連結されておらず、設置や移動が自由とされている。図示例の天板ｆ１はカウンター天板１よりも若干天板面が低く、前述した背板２５のコンセントｃ２が利用可能とされている。
【００４７】
このように構成されるやぐら付カウンターＡは、やぐらＢの外側ではカウンター天板１に立位で凭れ掛かり、或いはスツールを使ってちょい掛けすることで利用することができ、内側にはテーブルや冷蔵庫等を設置するなどしてアメニティスペースその他種々の一時的な立ち寄り場所として利用に供することができる。
【００４８】
以上のように、本実施形態のやぐら付什器たるやぐら付カウンターＡは、複数のポスト５を立設し、ポスト５、５間を梁６により連結して、これらポスト５および梁６によりやぐらＢを構築するとともに、ポスト５の下端部を支持構造体２、３内に収容して支持させ、支持構造体２、３内に配線ダクト空間Ｔを形成したものである。
【００４９】
そして、ポスト５をポスト本体５２とカバー５３とから構成し、ポスト本体５２は長手方向に沿って延び周囲が閉止された１次配線空間Ｐ１と、端子部７１をこの１次配線空間Ｐ１に臨ませ操作部７２をポスト５の外部に表出させたスイッチ７と、長手方向に沿って延びカバー５３の着脱によって開閉可能とされた２次配線空間Ｐ２とを有するとともに、
【００５０】
梁６は、給電対象物を支持する支持部（下向き配線ダクト６Ａ、上向き配線ダクト６Ｂ等）を有しており、この支持部６Ａ、６Ｂと２次配線空間Ｐ２との間がポスト５の上端部側に設けた第１開口５４を通じて配線引き回し可能とされるとともに、１次配線空間Ｐ１および２次配線空間Ｐ２と支持構造体２や支持構造体３の内部の配線ダクト空間Ｔとの間がポスト５の下端部側に設けた第２開口５５を通じて配線引き回し可能とされたものであり、配線ダクト空間Ｔにテーブルタップ９を配し、テーブルタップ９のタップ本体９１とコンセント差込用プラグ９２の間のケーブル９３を１次配線空間Ｐ１に引き込んでスイッチ７の端子部７１に、操作部７２によってテーブルタップ９１への給電ＯＮ／ＯＦＦ切り替えが可能な状態で接続した配線構造としたものである。
【００５１】
このようにすると、梁６の支持部６Ａ、６Ｂにライティングレール８１やライン照明８２等の給電対象物を支持させるにあたり、この給電対象物の配線を第１開口５４より引き込んで２次配線空間Ｐ２とカバー５３の間に閉じ込め、第２開口５５から配線ダクト空間Ｔ内に導いてテーブルタップ９１に差し込むだけで取り付けを完了することができる。このように、スイッチ７の端子部７１への配線接続作業が不要であるため、ユーザーサイドで簡単にオプションの取り付けを完了することができる。そして、共通のスイッチ７でコンセントに接続された給電対象物の一斉ＯＮ／ＯＦＦが可能となるため、各々の給電対象物に付帯するスイッチを個々に操作する煩わしさ、あるいは給電対象物ごとに配線ダクト空間ＴにアクセスしてテーブルタップのＯＮ／ＯＦＦ操作を行う煩わしさ等が解消され、ＯＮ／ＯＦＦ操作を間違えるといった不具合も解消されるうえ、スイッチ７はポスト５に設けてあるため、やぐらＢが大掛かりであっても利用者が目にし易く且つ操作位置も適切なものにすることができる。さらに、１次配線空間Ｐ１は閉止されて利用者がアクセスできないため、２次配線を共通のポスト５内に導入しても不都合が生じることはない。
【００５２】
具体的には、１次配線空間Ｐ１に引き込まれたケーブル９３内を通る２本の導線を分離し、うち１本をその位置で分断して、各々スイッチ７の対をなす端子部７１に接続するといった構造を採用している。
【００５３】
このため、既存のテーブルタップ９を使って簡単に１次配線処理をすることができる。そして、このようにケーブル９３から引き出した導線とスイッチ７の端子部７１との接続部分が存在しても、１次配線空間Ｐ１が閉止構造のため、利用者のアクセスから確実にガードすることができる。
【００５４】
また、やぐらＢが、支持構造体２にカウンター天板１を支持させ、このカウンター天板１上にポスト５を立設したものであり、ポスト本体５２をカウンター天板１を貫通して支持構造体２、３内に収容して連結し、カバー５３はポスト本体５２に対し短寸にして梁６とカウンター天板１の間で着脱可能とすることによりカウンター天板１上で２次配線空間の開閉が行える配線構造としている。
【００５５】
このため、カウンター天板１上で２次配線空間への配線の閉じ込めを簡単に行うことができる。
【００５６】
さらに、ポスト本体５２の下端部は支持構造体２、３に設けた有底のポスト受け部２１ｘ、２２ｘに第２開口５５を塞がない状態で嵌合され、特に配線ダクト空間Ｔは複数のポスト５（５ａ、５ｂ）の１次配線空間Ｐおよび２次配線空間Ｐ２のほぼ真下に共通して延在することになって、この配線ダクト空間Ｔが化粧パネル２６によって着脱可能に隠蔽された配線構造となっている。
【００５７】
このため、カウンター天板１下のテーブルタップ９に容易にアクセスすることが可能であり、且つ、各ポスト５（５ａ、５ｂ）の２次配線を共通のテーブルタップ９１に接続することも容易となる。
【００５８】
より具体的には、２本の端部ポスト５ｂおよび１本以上の中間ポスト５ａを含む複数のポスト５が立設されて、ポスト５、５の間が梁６によって接続され、少なくとも中間ポスト５ａの２次配線空間Ｐ２は１次配線空間Ｐ１に対して梁６が延びる方向に複数設けられ、各々がカバー５３によって開閉可能とされるとともに、各々のカバー５３、５３の隣接位置に共通のスイッチ７を位置づけた配線構造を採り得るようにしている。
【００５９】
このため、中間ポスト５ａにおいても梁６に設けられるライティングレール８１やライン照明８２等の給電対象物に向けた配線がし易くなり、中間ポスト５ａの両側にある梁６、６に支持させた給電対象物を共通のスイッチで同時にＯＮ／ＯＦＦすることが可能となる。
【００６０】
特に、本実施形態のやぐらＢは、支持構造体２等に立位姿勢で利用可能なカウンター天板１を支持させ、このカウンター天板１上にポスト５を立設して、ポスト５の上端部間を頭上高さで天梁６により連結したものであり、ポスト５の上端部における側面に２次配線空間Ｐ２の第１開口５４を設けるとともに、ポスト５と天梁６の突合わせ位置を避けた天梁６の一部に、２次配線を天梁６の上面に導くための天梁開口６３を設けている。
【００６１】
このため、天梁６に支持させたライティングレール８１やライン照明８２等の給電対象物に対して、天梁６の下面側にも上面側にも配線の引き回しが容易となる。
【００６２】
より具体的には、梁６が、ポスト５の上端部に接続される端部梁６１と、左右の端部梁６１、６１の間を接続する梁本体６２とからなり、梁本体６２に給電対象物の支持部として下向き配線ダクト６Ａおよび上向き配線ダクト６Ｂを設け、端部梁６１には天梁開口６３を設けて、下向き配線ダクト６Ａにライティングレール８１を取り付けて配線を２次配線空間Ｐ２に引き込み、上向き配線ダクト６Ｂにライン照明８２を配して配線を天梁開口６３および第１開口５４を通じて２次配線空間Ｐ２に引き込んで、ポスト５に設けた共通のスイッチ７の操作により給電ＯＮ／ＯＦＦ切り替えを可能としている。
【００６３】
このようにすることで、梁本体６２を押し出しによって作ることができる。しかも、ライティングレール８１が取り付けられた状態からライン照明８２を追加する場合は、ライン照明８２の配線をライティングレール８１から離れた位置に設けられた天梁開口６３より垂らしてポスト５の２次配線空間Ｐ２とカバー５３との間に閉じ込めるだけでよいので、安全に配線を完了することができる。
【００６４】
以上、本発明の一実施形態について説明したが、各部の具体的な構成は図示例に限定されるものではなく、本発明の趣旨を逸脱しない範囲で種々変形が可能である。
【符号の説明】
【００６５】
Ａ…やぐら付什器（やぐら付カウンター）
Ｂ…やぐら
Ｐ１…１次配線空間
Ｐ２…２次配線空間
１…天板（カウンター天板）
２…中間支持構造体
３…端部支持構造体
５…ポスト
６…梁（天梁）
６Ａ…支持部（下向き配線ダクト）
６Ｂ…支持部（上向き配線ダクト）
７…スイッチ
９…テーブルタップ
５２…ポスト本体
５３…カバー
５４…第１開口
５５…第２開口
６１…端部梁
６２…梁本体
６３…天梁開口
７１…端子部
７２…操作部
８１…ライティングレール
８２…ライン照明
９１…タップ本体
９２…コンセント差込用プラグ
９３…ケーブル
【図１】
2017099736.tif 000003
【図２】
2017099736.tif 000004
【図３】
2017099736.tif 000005
【図４】
2017099736.tif 000006
【図５】
2017099736.tif 000007
【図６】
2017099736.tif 000008
【図７】
2017099736.tif 000009
【図８】
2017099736.tif 000010
【図９】
2017099736.tif 000011
【図１０】
2017099736.tif 000012
【図１１】
2017099736.tif 000013
【図１２】
2017099736.tif 000014
【図１３】
2017099736.tif 000015
【図１４】
2017099736.tif 000016
【図１５】
2017099736.tif 000017
【図１６】
2017099736.tif 000018
【図１７】
2017099736.tif 000019
【図１８】
2017099736.tif 000020